(57)【要約】  【課題】高度化された通信カラオケシステムを健康管理面でも活用し、歌唱者のバイタル情報を検知し、これを表示して歌唱者に知らしめ、さらにはこれを登録し管理することで、歌唱者の健康状態への注意の喚起や維持向上に貢献できるシステムの提供。  【解決手段】バイタルセンサの利用と、これによる歌唱者の歌唱中に検知したバイタル情報をカラオケシステムにおけるネットワーク通信やカラオケホスト装置を含めた情報伝送手段や情報管理手段に組み入れた。【選択図】図７
2005134599.tif 000002
【特許請求の範囲】
【請求項１】
カラオケ演奏端末および当該端末の周辺機器ないし周辺備品の何れかに歌唱者の歌唱中のバイタル情報を検知するためのバイタルセンサが付帯されてなり、当該検知されたバイタル情報を、所定のディスプレイに表示可能とさせると共に、前記カラオケ演奏端末とネットワーク通信回線を介して接続されたカラオケホスト装置にアップロードして登録し、さらに、前記歌唱者のバイタル情報を、当該歌唱者のＩＤ認証を条件に、前記カラオケホスト装置とネットワーク通信回線を介して接続された任意のカラオケ演奏端末へダウンロード可能とさせることを特徴とするバイタル検知機能を有したカラオケシステム。
【請求項２】
歌唱者が自らのバイタル情報の正常範囲を設定し、これを前記カラオケ演奏端末ないし前記カラオケホスト装置に登録可能とし、検知された前記歌唱者のバイタル情報が前記正常範囲を外れた場合には、前記歌唱中の演奏を中止すると共に所定の警告表示を行うことを特徴とする請求項１記載のバイタル検知機能を有したカラオケシステム。
【請求項３】
前記周辺機器であるカラオケマイクがバイタルセンサを付帯してなる請求項１ないし請求項２記載のバイタル検知機能を有したカラオケシステム。
【請求項４】
前記周辺備品である歌唱者用椅子がバイタルセンサを付帯してなる請求項１記載ないし請求項２記載のバイタル検知機能を有したカラオケシステム。
【請求項５】
前記バイタルセンサが、歌唱者の血圧、心拍数、血中酸素飽和度、体温の何れかのバイタル情報の検知機能を有する請求項１ないし請求項４記載のバイタル検知機能を有したカラオケシステム。
【発明の詳細な説明】
【技術分野】
【０００１】
本発明は、歌唱者のバイタル検知機能を有したカラオケシステムに関し、さらに詳しくは、歌唱中の血圧、心拍数、血中酸素飽和度、体温などのバイタル情報を検知し得るカラオケシステムに関する。
【背景技術】
【０００２】
近年、食生活の欧米化や移動手段の進歩による生活環境の変化により、特に循環器系や消化器系の疾病が増加し、また、高齢化社会を迎え、特に中高年において健康に関心にある人が非常に増えている。この健康への関心の高まりと医療技術や通信技術の革新によって、対象者のバイタル情報を簡単かつ迅速に検知したり、在宅などにおいてバイタル情報を検知し、その情報をネットワーク通信手段により、遠方の医療機関などに転送するような健康管理システムに関する技術も開発された。
【０００３】
例えば、特開平９−２３８９０９号公報（特許文献１）では、ベッド、トイレ、浴槽、エアコン、カーペット、電気毛布、椅子などの機器に装着された非侵襲型バイタルセンサによって対象者の安否状態を段階別または種類別に判定する技術が開示され、特開特開２００３−２３５８１３号公報（特許文献２）では、対象者毎に収集、蓄積された生体信号の履歴とその使用者向けに適切に設定された判定基準に基づき現在の身体状態を判定することで、緊急通報したり疾患の予防、早期発見するなど健康管理を支援する技術が開示されている。
【０００４】
【特許文献１】特開平９−２３８９０９号公報
【特許文献２】特開２００３−２３５８１３号公報
【発明の開示】
【発明が解決しようとする課題】
【０００５】
これらの技術は、在宅などにおいて非侵襲的に対象者のバイタル情報を検知し、異常状態の有無や、当該バイタル情報を表示、記録（あるいは、さらに通報）することで、対象者の健康状態を維持向上させている。しかしながら、バイタルセンサを自宅に用意している家庭は未だに少なく、また、検知されたバイタル情報を統括的に登録、管理するような健康管理システムを一般家庭に導入するには、設備面でもコスト面でも問題がある。
【０００６】
ところで、通信カラオケシステムは、現在、手軽で身近な娯楽として、老若男女を問わず多くの人に親しまれている。そして、ブロードバンド時代を迎え、カラオケホスト装置とカラオケ演奏端末との間でネットワーク通信回線を介し、演奏楽曲データ以外でも様々な情報を迅速かつ大容量で交換できる高速化・高機化された通信カラオケシステムが実用化されつつある。そして、健康管理の面では、現在は、例えば、歌唱したことによる消費カロリーを表示するシステムが一般的なっているものの、このように高度化された通信カラオケシステムを積極的に活用するような技術は未だに想到されていない。
【０００７】
そして、カラオケの利用者、特に中高年者にとって、カラオケは絶好のストレス解消手段であるものの、多量の飲酒や飲食を伴う場合もあり、さらに、歌唱中に結構エキサイティングする人もいるため、そのような状況下では、普段よりも健康状態にはさらに注意しなければならない場合も生じる。あるいは、最近、自然治癒力に対するカラオケ歌唱の効能が期待され、老人の娯楽や病人のリハビリにもカラオケが利用されるようになり、老人ホームやリハビリセンタにカラオケシステムが導入されるようになった。しかしながら、歌唱者が老人や病人であるため、このような人たちを対象とする場合では、安静時とは異なる歌唱中の健康状態には特に注意する必要がある。
【０００８】
本発明は、上記問題を解消するために想到されたもので、すなわち、未だに健康管理システムが一般家庭に浸透していない状況下で、高度化された通信カラオケシステムを健康管理面でも活用し、特に、歌唱者の歌唱中のバイタル情報を検知し、これを表示して歌唱者に知らしめ、さらにはこれを登録し管理することで、歌唱者の健康状態への注意の喚起や維持向上に貢献できるシステムの提供を課題とする。
【課題を解決するための手段】
【０００９】
上記課題を解決するため、本発明者らは、小型軽量化され、特に非侵襲性の面で性能が向上したバイタルセンサの利用と、これによる歌唱者の歌唱中に検知したバイタル情報をカラオケシステムにおけるネットワーク通信やカラオケホスト装置を含めた情報伝送手段や情報管理手段に組み入れることで上記課題を解決できることを見出し、本発明を想到した。
【００１０】
すなわち、本発明の請求項１記載のバイタル検知機能を有したカラオケシステムは、カラオケ演奏端末および当該端末の周辺機器ないし周辺備品の何れかに歌唱者の歌唱中のバイタル情報を検知するためのバイタルセンサが付帯されてなり、当該検知されたバイタル情報を、所定のディスプレイに表示可能とさせると共に、前記カラオケ演奏端末とネットワーク通信回線を介して接続されたカラオケホスト装置にアップロードして登録し、さらに、前記歌唱者のバイタル情報を、当該歌唱者のＩＤ認証を条件に、前記カラオケホスト装置とネットワーク通信回線を介して接続された任意のカラオケ演奏端末へダウンロード可能とさせることを特徴とする。
【００１１】
また、本発明の請求項２記載のバイタル検知機能を有したカラオケシステムは、歌唱者が自らのバイタル情報の正常範囲を設定し、これを前記カラオケ演奏端末ないし前記カラオケホスト装置に登録可能とし、検知された前記歌唱者のバイタル情報が前記正常範囲を外れた場合には、前記歌唱中の演奏を中止すると共に所定の警告表示を行うことを特徴とする。
【００１２】
さらにまた、本発明の請求項３記載のバイタル検知機能を有したカラオケシステムは、上記システムにおいて、前記周辺機器であるカラオケマイクがバイタルセンサを付帯していることを特徴とする。
【００１３】
さらに、本発明の請求項４記載のバイタル検知機能を有したカラオケシステムは、上記システムにおいて、前記周辺備品である歌唱者用椅子がバイタルセンサを付帯していることを特徴とする。
【００１４】
さらに、本発明の請求項５記載のバイタル検知機能を有したカラオケシステムは、上記システムにおいて、前記バイタルセンサが、歌唱者の血圧、心拍数、血中酸素飽和度、体温の何れかのバイタル情報の検知機能を有することを特徴とする。
【発明の効果】
【００１５】
上記構成により、本発明のバイタル検知機能を有したカラオケシステムによれば、カラオケ演奏端末および当該端末の周辺機器ないし周辺備品の何れかに、歌唱者の歌唱中のバイタル情報を検知するためのバイタルセンサを付帯させ、歌唱者の歌唱中に検知された歌唱者のバイタル情報を表示して知らしめ、さらに、カラオケ演奏端末とネットワーク接続されたカラオケホスト装置に当該バイタル情報をアップロードして登録し、さらに、このバイタル情報を、当該歌唱者のＩＤ認証を条件に、当該歌唱者が、当該カラオケホスト装置とネットワーク接続された任意のカラオケ演奏端末にもダウンロードでき、何れの端末からも随時自らの歌唱中のバイタル情報を確認できるため、歌唱者の健康状態への注意の喚起や維持向上のための情報確認の機会が増え、また、確認の利便性が高まるなどといった効果を奏するものである。
【００１６】
また、歌唱中のバイタル情報が、設定した正常範囲を外れた場合には、歌唱を続けることで歌唱者に過度の負担をかける可能性もあるため、歌唱中の演奏を中止すると共に所定の警告表示を行うことで、歌唱者にバイタル情報の異変を知らしめ、身体を安静に保護できるといった効果を奏する。
【００１７】
さらに、周辺機器であるカラオケマイク、あるいは周辺備品である歌唱者用椅子にバイタルセンサを付帯させることにより、これらの機器や備品は歌唱者が歌唱中に直に接するため、付帯条件が最適であり、効率的に歌唱者のバイタル情報を検知することができる。
【００１８】
そして、現在、血圧、心拍数、血中酸素飽和度、体温といったバイタル情報を検知するバイタルセンサは小型軽量化され、特に非侵襲性の面での性能が向上しているため、歌唱者の利便性や設備面での制約があるカラオケシステムにおいては、このような進展技術を組み入れるメリットが大きく、システム運用面での効率性が良くなる。
【発明を実施するための最良の形態】
【００１９】
以下、本発明のバイタル検知機能を有したカラオケシステムについて、最適な実施例を挙げ、本発明を詳述する。
【実施例１】
【００２０】
先ず、図１は、本発明のバイタル検知機能を有したカラオケシステムのネットワーク構成図である。すなわち、本発明のカラオケシステム（１）は、カラオケ演奏端末（３）および当該端末の周辺機器であるカラオケマイク（Ｍ）、カラオケリモコン装置（Ｒ）ないし周辺備品である歌唱者用椅子（Ｃ）の何れかに歌唱者の歌唱中のバイタル情報を検知するためのバイタルセンサ（２）が付帯され、当該検知されたバイタル情報を、所定のディスプレイ（Ｄ）に表示可能とさせると共にカラオケ演奏端末（３）とネットワーク通信回線（５）を介して接続されたカラオケホスト装置（４）にアップロードして登録するものである。
【００２１】
次に、図２に示す、バイタルセンサの構造図と当該センサを付帯した周辺機器、備品類の概略図を用いて、本発明におけるバイタルセンサの機能などについて詳述する。
【００２２】
先ず、図２の（イ）にはバイタルセンサ（２）の構造図が示されている。本実施例で示されているバイタルセンサ（２）は、生体信号として指尖脈波を検知するもので、歌唱者の歌唱者の指尖部（Ｆ）にフィットするように、柔軟性、伸縮性を有する材料からなり、外部からの光の侵入を防止するように遮光性を有する筒状のプローブ（２１）の内面に挿入して脈波を採取するもので、指尖部（Ｆ）の指腹に対接するように、発光素子（２２）と受光素子（２３）が取り付けられている。発光素子（２２）と受光素子（２３）は、その先端部には凸レンズが装着されており、ここから高輝度近赤外ＬＥＤおよび赤色光ＬＥＤなどが発光されるもので、ＣＰＵ（図示せず）からの信号を受けたパルス発生器および駆動回路（図示せず）によって、一定時間づつ交互に発光される。発光素子（２２）からの投射光を指尖部（Ｆ）内部で反射させ、反射光をフォトダイオードまたはフォトトランジスタなどからなる受光素子（２３）に入射させるものである。
【００２３】
歌唱者の血圧や脈拍は発光素子（２２）の出力から算出するが、基本的には、指尖部（Ｆ）の局所圧迫を受けている部位から容積脈波を検出し、この容積振動法に基づき振幅最大点及び消失点を求めて算出する。また、血液酸素飽和度も発光素子（２２）の出力から透過光を分離測光し、容積振動法を用いて算出されるが、測定される酸素飽和度は動脈血酸素飽和度に対応する。なお、容積振動法は加圧部直下の容積変化を捉えるもので、光の透過性と圧伝搬が対応していることを利用する。さらに、このバイタルセンサ（２）には指尖部（Ｆ）から体温を採取する体温センサ（２４）も付帯され、歌唱者の体温を検知している。
【００２４】
なお、上記実施例では、バイタルセンサ自体が小型軽量化され、特に非侵襲性の面での性能が向上されて検知が正確で容易となった血圧、心拍数、血中酸素飽和度、体温が例示されているが、本発明はこれに限定されず、例えば、心電波形、呼吸数、体湿などをバイタル情報の対象としても構わない。また、バイタルセンサの種類も特に限定はないが、非侵襲式、非観血式のものの方がシステム運用面での効率性が良く好ましい。
【００２５】
本発明においては、図２の（イ）に示すように、カラオケ演奏端末と接続された単独のバイタルセンサを用意してもよいが、カラオケ演奏端末の周辺機器や周辺備品にバイタルセンサを付帯させてもよい。（ロ）にはバイタルセンサを付帯したカラオケマイクの構造図が示されている。このカラオケマイク（Ｍ）の本体部（２５）の略人差し指が触れる位置には、半埋め込み状態でバイタルセンサ（２）が取り付けられ、上記（イ）と同様に、指尖部（Ｆ）からバイタル情報を検知する。さらに、図２の（ハ）にはバイタルセンサを付帯した歌唱者用椅子の構造図が示されている。この歌唱者用椅子（Ｃ）のアームレスト（２６）の略先端部には、（ロ）と同様に、半埋め込み状態でバイタルセンサ（２）が取り付けられ、指尖部（Ｆ）からバイタル情報を検知する。なお、本発明においては、バイタルセンサはカラオケ演奏端末および当該端末の周辺機器ないし周辺備品の何れかにあればよく、また、１つに限らず複数でも構わない。
【００２６】
以下、図３に示す、本発明のシステムにおけるカラオケ演奏端末の内部構成ブロック図と、図４に示す、カラオケホスト装置の内部構成ブロック図に基づき、本発明のシステムについて詳述する。
【００２７】
先ず、図３に示す本発明のカラオケシステム（１）において、カラオケ演奏端末（３）には、バイタルセンサ（２）、カラオケリモコン装置（Ｒ）、カラオケマイク（Ｍ）、およびＩＤカード読み取り／書き込み装置（Ｉ）などが付帯され、ネットワーク通信回線（５）を介してカラオケホスト装置（４）に接続している。そして、その内部構成について概説すると、歌唱者が所望する楽曲を特定する楽曲番号が含まれた演奏予約データがカラオケリモコン装置（Ｒ）にて入力された際、適宜な記憶部に演奏予約の待ち行列を作成して楽曲の演奏順番を管理し、その中の楽曲番号がカラオケ楽曲データベースに登録されている演奏可能な楽曲の番号であることを確認した上で、ハードディスク（図示せず）に収納されたカラオケ楽曲データベースから該当するＭＩＤＩデータやＡＤＰＣＭデータなどを所定の音源装置に転送して演奏させる演奏制御を行い、これらの様々な制御を請け負う中央制御手段（３１）の他、カラオケホスト装置（４）との通信を制御し、当該カラオケホスト装置（４）からは新規の楽曲をダウンロードしたり、カラオケ演奏端末（３）からは、楽曲の演奏毎の演奏ログや歌唱者のバイタル情報などをカラオケホスト装置（４）にアップロードするための通信制御手段（４２）などからなる。
【００２８】
ここで、バイタル情報の処理方法について述べる。先ず、バイタルセンサ（２）の受光素子への入射光からなる信号は、バイタル情報処理手段（３２）にて解析されるが、この入射光信号は検知信号光電変換部（３３）において光電変換され、次に、検知信号増幅部（３４）において信号が増幅され、さらに、Ａ／Ｄ変換部（３５）において歌唱者の指尖脈波の時系列データが変換出力されて、この出力情報をＲＡＭ（３６）のバイタル情報管理ファイル（３７）におけるバイタル情報フィールド（４０）に記憶される。このバイタル情報フィールド（４０）は歌唱者毎のＩＤフィールド（３８）に紐付けされ、楽曲ＩＤコードフィールド（３９）と共に記憶される。また、バイタル情報フィールド（４０）には歌唱者が設定したバイタル情報の正常範囲データフィールド（４１）も付帯され、この正常範囲の設定はカラオケリモコン装置のＬＣＤインターフェイスから入力できるように構成されている。なお、本実施例においては、バイタル情報処理手段（３２）はカラオケ演奏端末（３）の内部に組み込まれているが、本発明はこれに限定されず、バイタルセンサ（２）の内部に組み込んでも構わない。
【００２９】
さらに、図４に示す、本発明におけるカラオケホスト装置（４）は、前述したように、ネットワーク通信回線（５）を介してネットワーク下に複数のカラオケ演奏端末（３）と接続されている。そして、ホスト装置内の様々なシステム制御を全般的に行う中央制御手段（４１）やネットワーク通信回線（５）を介してカラオケ演奏端末（３）の通信制御手段との通信データの送受信の制御を行うための通信制御手段（４３）などを有している。また、カラオケ演奏端末（３）からアップロードされたバイタル情報は、ハードディスク（ＨＤＤ：４４）のバイタル情報管理ファイル（４５）におけるバイタル情報フィールド（４８）に登録される。このバイタル情報フィールド（４８）もカラオケ演奏端末（３）におけるのと同様に、歌唱者毎のＩＤフィールド（３８）に紐付けされ、楽曲ＩＤコードフィールド（４７）と共に登録され管理される。また、バイタル情報フィールド（４８）にはカラオケ演奏端末（３）からアップロードされたバイタル情報の正常範囲データフィールド（４９）も付帯され管理されている。
【００３０】
以下、図５に示す、本発明のシステムにおけるバイタル情報管理ファイルテーブルに基づき、本発明のシステムにおけるバイタル情報管理内容について詳述する。
【００３１】
バイタル情報管理ファイルテーブル（５０）は、歌唱者のバイタル情報を各カラオケ演奏端末のＲＡＭに一時記憶したり、当該各カラオケ演奏端末からアップデートされたカラオケホスト装置のＨＤＤに登録したり、さらには、歌唱者に指示に従い、カラオケホスト装置からカラオケ演奏端末にダウンロードさせるもので、歌唱者ＩＤフィールド（５１）に紐付けされ、当該歌唱者の歌唱中のバイタル情報を検知した日付フィールド（５２）や歌唱された楽曲ＩＤフィールド（５３）、平均体温フィールド（５４）、平均血圧（最高／最低）フィールド（５５）、平均脈拍数フィールド（５６）、平均血中酸素飽和度フィールド（５７）などからなる。なお、本実施例では、各検知値の平均値（１回も含む）が記憶されるが、本発明はこれに限らず、検知値の最高値や最低値あるいは検知値全てを記憶しても構わない。また、日付フィールド（５２）は必ずしも必要ないが、バイタル情報の経時変化を知りたい場合には効果的なので、あった方が好ましい。
【００３２】
次に、図６に示す、本発明のシステムにおけるディスプレイ表示フロー図と、図７に示す、本発明のシステムフロー図に基づき、本発明のシステムについて、さらに詳述する。
【００３３】
図６は所定のディスプレイに表示された本発明に関わる表示画面（Ｄ１、Ｄ２、Ｄ３）で、図７はカラオケ演奏端末および当該端末の周辺機器（バイタルセンサ付帯マイク、ディスプレイ、カラオケリモコン装置など）と、当該端末とネットワーク通信回線を介して接続されたカラオケホスト装置間のシステムフローを示すものである。図７において、先ず、歌唱者がカラオケリモコン装置のＬＣＤインターフェイスを通じて、カラオケ演奏端末に対してバイタル情報を検知させる指示を出し（Ｓ１）、次に、歌唱者ＩＤを入力する（Ｓ２）。なお、ＩＤの入力方法は、前述したように、ＩＤカード読み取り／書き込み装置を用いたり、パスワード入力の他、指紋や声紋の読み取り装置を用いるものであっても構わない。歌唱者ＩＤが入力されて歌唱者が認証されると、カラオケ演奏端末のＲＡＭに歌唱者ＩＤが記憶される（Ｓ３）。次に、歌唱者はカラオケリモコン装置を使って歌唱楽曲のＩＤコードを指定する（Ｓ４）と、当該ＲＡＭには楽曲ＩＤも記憶されると共に演奏が開始される（Ｓ５）。
【００３４】
演奏が開始されると、図６のＤ１に示すように、ディスプレイ上部にバイタル情報の計測開始メッセージ（６１）が表示され、図７に示すように、歌唱中のバイタル情報の検知機能が作動する（Ｓ６）。検知情報は逐次解析され（Ｓ７）、この時、バイタル情報の正常範囲との比較が行われる（Ｓ８，Ｓ１０）が、正常範囲が設定されていない場合や設定されていても正常範囲を逸脱していなければ、所定のタイミングで、図６のＤ２に示すように、歌唱者の血圧（最高／最低）、脈拍数のバイタル情報（６２）や、同Ｄ３に示すように、血中酸素飽和度、体温のバイタル情報（６３）などが表示される。なお、これらの表示は所定の間隔で複数回表示されても、あるいは歌唱後に平均値が一括して表示されても構わない。一方、バイタル情報が正常範囲を逸脱した場合は、速やかに楽曲の演奏が中止され（Ｓ１１）、ディスプレイに警告が表示される（Ｓ１２）。すなわち、図６のＤ４に示すように、当該正常範囲を逸脱した情報（６４）が表示されると共に警告文（６５）が表示される。
【００３５】
通常に演奏が終了すると、歌唱者ＩＤに紐付けされた楽曲ＩＤと検知されたバイタル情報は、図７に示すように、カラオケ演奏端末からカラオケホスト装置のＨＤＤに登録される（Ｓ１３）。そして、このバイタル情報は、当該カラオケホスト装置とネットワーク通信回線を介して接続されている任意のカラオケ演奏端末から、前述した方法と同じく、当該歌唱者のＩＤ認証を条件に、歌唱者がカラオケホスト装置から当該カラオケ演奏端末への情報転送を指示する（Ｓ１４）と、登録されていたバイタル情報がカラオケホスト装置からダウンロードされる（Ｓ１５）。ダウンロードされた情報はカラオケ演奏端末のＲＡＭに記憶された（Ｓ１６）後、所定のディスプレイに表示され（Ｓ１７）、歌唱者は自ら以前に歌唱した楽曲における歌唱中のバイタル情報を確認することができる。
【００３６】
なお、ディスプレイへの表示方法としては、図５に示したバイタル情報管理ファイルテーブル（５０）様態のものを表示するのが最も好ましいが、このテーブルを構成する各フィールドを個別に表示させるように構成してもよく、このような表示内容の指示は、カラオケリモコン装置のＬＣＤインターフェイスから行われる。また、本実施例では、カラオケホスト装置からダウンロードされたバイタル情報は、カラオケ演奏端末のＲＡＭに記憶された後、所定のディスプレイに表示されるが、本発明はこれに限定されず、例えば、所定のプリンタで情報を印刷したり、あるいはパソコンや携帯電話に表示させるために、これらに装着可能な所定のデジタルメモリ媒体に記憶させても構わない。
【００３７】
以上、詳述した如く、本発明のバイタル検知機能を有したカラオケシステムによれば、歌唱者の歌唱中に検知された歌唱者のバイタル情報を表示して知らしめ、さらに、カラオケ演奏端末とネットワーク接続されたカラオケホスト装置に当該バイタル情報をアップロードして登録し、さらに、このバイタル情報を、当該歌唱者のＩＤ認証を条件に、当該歌唱者が、当該カラオケホスト装置とネットワーク接続された任意のカラオケ演奏端末にもダウンロードでき、何れの端末からも、随時自らの歌唱中のバイタル情報を確認できるため、歌唱者の健康状態への注意の喚起や維持向上のための情報確認の機会が増え、また、確認の利便性が高まるなどといった効果を奏する。
【図面の簡単な説明】
【００３８】
【図１】本発明のバイタル検知機能を有したカラオケシステムのネットワーク構成図。
【図２】バイタルセンサの構造図と当該センサを付帯した周辺機器、備品類の概略図。
【図３】本発明のシステムにおけるカラオケ演奏端末の内部構成ブロック図。
【図４】本発明のシステムにおけるカラオケホスト装置の内部構成ブロック図。
【図５】本発明のシステムにおけるバイタル情報管理ファイルテーブル。
【図６】本発明のシステムにおけるディスプレイ表示フロー図。
【図７】本発明のシステムフロー図。
【符号の説明】
【００３９】
Ｓ１    バイタル情報の検知開始の指示
Ｓ２    歌唱者ＩＤの入力
Ｓ３    カラオケ演奏端末のＲＡＭに歌唱者ＩＤを記憶
Ｓ６    歌唱中のバイタル情報の検知
Ｓ７    検知情報の解析
Ｓ９    ディスプレイへの検知情報の表示
Ｓ１１  楽曲演奏の中止
Ｓ１２  ディスプレイへの警告の表示
Ｓ１３  カラオケホスト装置のＨＤＤへ歌唱者ＩＤを紐付けした検知情報の登録
Ｓ１４  歌唱者ＩＤの認証とカラオケホスト装置における登録情報転送の指示
Ｓ１５  登録情報の転送
【図２】
2005134599.tif 000003
【図３】
2005134599.tif 000004
【図４】
2005134599.tif 000005
【図１】
2005134599.tif 000006
【図５】
2005134599.tif 000007
【図６】
2005134599.tif 000008
【図７】
2005134599.tif 000009